(57)【要約】【課題】外部記憶媒体を監視するための監視回路を備えた携帯機器またはデジタルカメラにおいて、前記監視回路に流れる電流を削減する。【解決手段】外部記憶媒体の着脱状態を示すスイッチ第一のスイッチと外部記憶媒体を収納している収納蓋の状態を示す第二のスイッチを、収納蓋が開いた状態で外部記憶媒体が装着されているとき以外は第一のスイッチと第二のスイッチに電流が流れないようする。【選択図】      図３
2006319716.tif 000002
【特許請求の範囲】
【請求項１】
機器の動作がＯＦＦ状態であっても動作している常時動作回路と、
着脱可能な外部記録媒体が前記機器に装着されているとＯＦＦで、装着されていないとＯＮする第一のスイッチ回路と、
前記外部記憶媒体を収納する収納部の収納蓋が開いているとＯＮで、閉まっているとＯＦＦになる第二のスイッチ回路と、
前記第一と第二のスイッチ回路を制御し、前記外部記憶媒体の着脱状態を出力する制御回路、
を備えた携帯機器において、
前記収納蓋が開けられたときのみ前記制御回路は、前記外部記憶媒体の着脱状態を前記常時動作回路に出力する構成にしたことを特徴とする携帯機器。
【請求項２】
前記第一、第二のスイッチ回路と前記制御回路が直列に接続されている構成にしたことを特徴とする請求項１記載の携帯機器。
【請求項３】
前記機器がＯＮ状態からＯＦＦ状態に変化する際に、前記外部記憶媒体が装着されているときに前記制御回路が前記第一と第二のスイッチ回路を動作させる構成にしたことを特徴とする請求項１または請求項２記載の携帯機器。
【請求項４】
前記機器がＯＮ状態からＯＦＦ状態に変化する際に、前記外部記憶媒体が装着されているときに、前記制御回路は前記第一と第二のスイッチ回路を動作させ、前記機器がＯＦＦ状態で前記外部記憶媒体が取り外されたことを検出すると前記制御回路は前記第一と第二のスイッチ回路を停止させる構成にしたことを特徴とする請求項３記載の携帯機器。
【請求項５】
機器の動作がＯＦＦ状態であっても動作している常時動作回路と、
着脱可能な外部記録媒体が前記機器に装着されているとＯＦＦで、装着されていないとＯＮする第一のスイッチ回路と、
前記外部記憶媒体を収納する収納部の収納蓋が開いているとＯＮで、閉まっているとＯＦＦになる第二のスイッチ回路と、
前記第一と第二のスイッチ回路を制御し、前記外部記憶媒体の着脱状態を出力する制御回路、
を備えた携帯機器において、
前記収納蓋が開けられたときのみ前記制御回路は、前記外部記憶媒体の着脱状態を前記常時動作回路に出力させることを特徴とする携帯機器。
【請求項６】
前記機器がＯＮ状態からＯＦＦ状態に変化する際に、前記外部記憶媒体が装着されているときに前記制御回路が前記第一と第二のスイッチ回路を動作させることを特徴とする請求項５記載の携帯機器。
【請求項７】
前記機器がＯＮ状態からＯＦＦ状態に変化する際に、前記外部記憶媒体が装着されているときに前記制御回路は前記第一と第二のスイッチ回路を動作させ、前記機器がＯＦＦ状態で前記外部記憶媒体が取り外されたことを検出すると前記制御回路は前記第一と第二のスイッチ回路を停止させることを特徴とする請求項６記載の携帯機器。
【請求項８】
機器の動作がＯＦＦ状態であっても動作している常時動作回路と、
着脱可能な外部記録媒体が前記機器に装着されているとＯＦＦで、装着されていないとＯＮする第一のスイッチ回路と、
前記外部記憶媒体を収納する収納部の収納蓋が開いているとＯＮで、閉まっているとＯＦＦになる第二のスイッチ回路と、
前記第一と第二のスイッチ回路を制御し、前記外部記憶媒体の着脱状態を出力する制御回路、
を備えたデジタルカメラにおいて、
前記収納蓋が開けられたときのみ前記制御回路は、前記外部記憶媒体の着脱状態を前記常時動作回路に出力する構成にしたことを特徴とするデジタルカメラ。
【請求項９】
前記第一、第二のスイッチ回路と前記制御回路が直列に接続されている構成にしたことを特徴とする請求項８記載のデジタルカメラ。
【請求項１０】
前記機器がＯＮ状態からＯＦＦ状態に変化する際に、前記外部記憶媒体が装着されているときに前記制御回路が前記第一と第二のスイッチ回路を動作させる構成にしたことを特徴とする請求項８または請求項９記載のデジタルカメラ。
【請求項１１】
前記機器がＯＮ状態からＯＦＦ状態に変化する際に、前記外部記憶媒体が装着されているときに、前記制御回路は前記第一と第二のスイッチ回路を動作させ、前記機器がＯＦＦ状態で前記外部記憶媒体が取り外されたことを検出すると前記制御回路は前記第一と第二のスイッチ回路を停止させる構成にしたことを特徴とする請求項１０記載のデジタルカメラ。
【請求項１２】
機器の動作がＯＦＦ状態であっても動作している常時動作回路と、
着脱可能な外部記録媒体が前記機器に装着されているとＯＦＦで、装着されていないとＯＮする第一のスイッチ回路と、
前記外部記憶媒体を収納する収納部の収納蓋が開いているとＯＮで、閉まっているとＯＦＦになる第二のスイッチ回路と、
前記第一と第二のスイッチ回路を制御し、前記外部記憶媒体の着脱状態を出力する制御回路、
を備えたデジタルカメラの制御方法において、
前記収納蓋が開けられたときのみ前記制御回路は、前記外部記憶媒体の着脱状態を前記常時動作回路に出力させることを特徴とするデジタルカメラの制御方法。
【請求項１３】
前記機器がＯＮ状態からＯＦＦ状態に変化する際に、前記外部記憶媒体が装着されているときに前記制御回路が前記第一と第二のスイッチ回路を動作させることを特徴とする請求項１２記載のデジタルカメラの制御方法。
【請求項１４】
前記機器がＯＮ状態からＯＦＦ状態に変化する際に、前記外部記憶媒体が装着されているときに前記制御回路は前記第一と第二のスイッチ回路を動作させ、前記機器がＯＦＦ状態で前記外部記憶媒体が取り外されたことを検出すると前記制御回路は前記第一と第二のスイッチ回路を停止させることを特徴とする請求項１３記載のデジタルカメラの制御方法。
【発明の詳細な説明】
【技術分野】
【０００１】
本発明は携帯機器、デジタルカメラおよびデジタルカメラの制御方法に関し、外部記憶媒体が着脱可能であり前記携帯機器およびデジタルカメラがＯＦＦ状態であっても、前記外部記憶媒体の着脱状態を監視する携帯機器、デジタルカメラおよびデジタルカメラの制御方法に関するものである。
【背景技術】
【０００２】
従来の携帯機器またはデジタルカメラにおいて、ＯＮ状態で使用していた外部記憶媒体を装着したままで、ＯＦＦ状態にして、外部記憶媒体が交換されずに次にＯＮ状態になったときに、前回のＯＮ状態のときの外部記憶媒体の情報を記憶しておいた情報を使用して起動するものがある。
【０００３】
図１に示すような回路を使用して外部記憶媒体の着脱状態を機器がＯＦＦ状態であっても監視しているものが一般的に使用されている。すなわち、外部記憶媒体を装着するとＯＮして、取り外すとＯＦＦするスイッチ、そして、外部記憶媒体を収納するための収納蓋を開けるとＯＮし、閉めるとＯＦＦするスイッチをＣＰＵ４５の入力ポートに接続し、入力ポートの端子レベルであるＨｉｇｈまたはＬｏｗの状態を監視することによって、外部記憶媒体の着脱状態を認識することができる。
【特許文献１】特開平６−１９４７２７号公報
【特許文献２】特開平６−２３０４５８号公報
【特許文献３】特開平８−３２８１３７号公報
【発明の開示】
【発明が解決しようとする課題】
【０００４】
しかし、上記の構成によると、外部記憶媒体を装着した状態または、収納蓋を開けた状態にすると常にスイッチに電流が流れてしまうので、ユーザーが機器をＯＦＦ状態にしたにもかかわらず、電力を消費してしまうという問題があった。
【０００５】
そこで、本発明は、外部記憶媒体を監視するための回路に流れる電流を削減することができる携帯機器、デジタルカメラおよびデジタルカメラの制御方法を提供することを目的とする。
【課題を解決するための手段】
【０００６】
本発明は、ＯＦＦ状態であっても外部記憶媒体の着脱状態を監視している携帯機器またはデジタルカメラにおいて、収納蓋でＯＮ／ＯＦＦするスイッチ回路と外部記憶媒体の着脱状態でＯＮ／ＯＦＦするスイッチ回路が収納蓋が開いた状態で更に外部記憶媒体が装着されているとき以外は電流が流れないようにしたものである。
【０００７】
すなわち、本発明の技術内容は以下の構成を備えることにより前記課題を解決できた。
【０００８】
（１）機器の動作がＯＦＦ状態であっても動作している常時動作回路と、着脱可能な外部記録媒体が前記機器に装着されているとＯＦＦで、装着されていないとＯＮする第一のスイッチ回路と、前記外部記憶媒体を収納する収納部の収納蓋が開いているとＯＮで、閉まっているとＯＦＦになる第二のスイッチ回路と、
前記第一と第二のスイッチ回路を制御し、前記外部記憶媒体の着脱状態を出力する制御回路を備えた携帯機器において、前記収納蓋が開けられたときのみ前記制御回路は、前記外部記憶媒体の着脱状態を前記常時動作回路に出力する構成にしたことを特徴とする携帯機器。
【０００９】
（２）機器の動作がＯＦＦ状態であっても動作している常時動作回路と、着脱可能な外部記録媒体が前記機器に装着されているとＯＦＦで、装着されていないとＯＮする第一のスイッチ回路と、前記外部記憶媒体を収納する収納部の収納蓋が開いているとＯＮで、閉まっているとＯＦＦになる第二のスイッチ回路と、前記第一と第二のスイッチ回路を制御し、前記外部記憶媒体の着脱状態を出力する制御回路を備えたデジタルカメラにおいて、前記収納蓋が開けられたときのみ前記制御回路は、前記外部記憶媒体の着脱状態を前記常時動作回路に出力する構成にしたことを特徴とするデジタルカメラ。
【００１０】
（３）機器の動作がＯＦＦ状態であっても動作している常時動作回路と、着脱可能な外部記録媒体が前記機器に装着されているとＯＦＦで、装着されていないとＯＮする第一のスイッチ回路と、前記外部記憶媒体を収納する収納部の収納蓋が開いているとＯＮで、閉まっているとＯＦＦになる第二のスイッチ回路と、前記第一と第二のスイッチ回路を制御し、前記外部記憶媒体の着脱状態を出力する制御回路を備えたデジタルカメラの制御方法において、前記収納蓋が開けられたときのみ前記制御回路は、前記外部記憶媒体の着脱状態を前記常時動作回路に出力させることを特徴とするデジタルカメラの制御方法。
【発明の効果】
【００１１】
このような構成にしたことにより、外部記憶媒体の着脱状態を監視している回路に電流が流れる場合が外部記憶媒体が装着されている状態で、収納蓋を開けたときだけなので、従来の構成と比べると格段に消費電力を削減できる。
【発明を実施するための最良の形態】
【００１２】
以下、本発明の具体的な実施形態を図面を参照しながら詳細に説明する。
【実施例１】
【００１３】
図２は、本発明の実施の形態による携帯機器であるデジタルカメラの主要構成を示すブロック図である。この図２において、４５はデジタルカメラの制御を行っているメインＣＰＵである。このＣＰＵ４５は、デジタルカメラがＯＮ状態では高速モードで通常の動作を行い、ＯＦＦ状態では、低消費電力モードになり内臓ＲＡＭの状態を保持し、割り込み信号が入力されると高速モードに移行するといった機能がある。
【００１４】
２９は画像処理装置であり、３１は撮影レンズ、３３は絞り機能を備えるシャッター、３５は光学像を電気信号に変換する撮像素子、３７は撮像素子３５のアナログ信号出力をディジタル信号に変換するＡ／Ｄ変換器である。
【００１５】
更に、３９は撮像素子３５、Ａ／Ｄ変換器３７、Ｄ／Ａ変換器４１にそれぞれクロック信号や制御信号を供給するタイミング発生回路であり、メモリ制御回路４３及びメインＣＰＵ４５により制御される。４７は画像処理回路であり、Ａ／Ｄ変換器３７からのデータ或いはメモリ制御回路４３からのデータに対して所定の画素補間処理や色変換処理を行う。また、画像処理回路４７は、撮像した画像データを用いて所定の演算処理を行い、得られた演算結果に基づいてメインＣＰＵ４５が露光制御手段４９、測距制御手段５１に対してＡＦ（オートフォーカス）処理、ＡＥ（自動露出）処理、ＥＦ（フラッシュプリ発光）処理を行う。更に、画像処理回路４７は、撮像した画像データを用いて所定の演算処理を行い、得られた演算結果に基づいてＡＷＢ（オートホワイトバランス）処理も行う。
【００１６】
４３はメモリ制御回路であり、Ａ／Ｄ変換器３７、タイミング発生回路３９、画像処理回路４７、画像表示メモリ５３、Ｄ／Ａ変換器４１、メモリ５５、圧縮・伸長回路５７をそれぞれ制御する。画像表示メモリ５３とメモリ５５は、同じＲＡＭで構成されるが、ＲＡＭのある領域を画像表示メモリ５３、また、別のＲＡＭの領域をメモリ５５とする。Ａ／Ｄ変換器３７のデータが画像処理回路４７、メモリ制御回路４３を介して、或いはＡ／Ｄ変換器３７のデータが直接メモリ制御回路４３を介して、画像表示メモリ５３或いはメモリ５５に書き込まれる。
【００１７】
５３は画像表示メモリ、４１はＤ／Ａ変換器、５９はＬＣＤ等から成る画像表示部であり、画像表示メモリ５３に書き込まれた表示用の画像データはＤ／Ａ変換器４１を介して画像表示部５９により表示される。画像表示部５９を用いて撮像した画像データを逐次表示すれば、電子ファインダ機能を実現することが可能である。また、画像表示部５９は、メインＣＰＵ４５の指示により任意に表示をＯＮ／ＯＦＦすることが可能であり、表示をＯＦＦにした場合には画像処理装置２９の電力消費を大幅に低減することができる。
【００１８】
５５は撮影した静止画像や動画像を格納するためのメモリであり、所定枚数の静止画像や所定時間の動画像を格納するのに十分な記憶量を備えている。これにより、複数枚の静止画像を連続して撮影する連写撮影やパノラマ撮影の場合にも、高速かつ大量の画像書き込みをメモリ５５に対して行うことが可能となる。また、メモリ５５はメインＣＰＵ４５の作業領域としても使用することが可能である。
【００１９】
５７は画像データを圧縮伸長する圧縮・伸長回路であり、メモリ５５に格納された画像を読み込んで圧縮処理或いは伸長処理を行い、処理を終えたデータがメモリ５５に書き込まれる。
【００２０】
４９は絞り機能を備えるシャッター３３を制御する露光制御手段である。５１は撮影レンズ３１のフォーカシングを制御する測距制御手段、６１は撮影レンズ３１のズーミングを制御するズーム制御手段、６３はバリアである保護手段６５の動作を制御するバリア制御手段である。露光制御手段４９、測距制御手段５１は撮像した画像データを画像処理回路４７によって演算した演算結果に基づき、メインＣＰＵ４５が露光制御手段４９、測距制御手段５１に対して制御を行う。
【００２１】
４５は画像処理装置２９全体を制御するＣＰＵであり、動作電源の制御、操作キー入力の検出等を行い、操作キーの入力によって画像処理装置２９の動作を制御する。
【００２２】
６７はメインＣＰＵ４５でのプログラムの実行に応じて、文字、画像、音声等を用いて動作状態やメッセージ等を表示する表示装置であり、スピーカー等の表示を行い、画像処理装置２９の操作部近辺の視認し易い位置に単数或いは複数個所設置され、例えばＬＣＤやＬＥＤ、発音素子等の組み合わせにより構成されている。また、表示部６７は、その一部の機能が光学ファインダ６９内に設置されている。
【００２３】
表示部６７の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録メディア７１の着脱状態表示、通信Ｉ／Ｆ動作表示、日付け・時刻表示等がある。
【００２４】
また、表示部６７の表示内容のうち、光学ファインダ６９内に表示するものとしては、合焦表示、手振れ警告表示、フラッシュ充電表示、シャッタースピード表示、絞り値表示、露出補正表示等がある。
【００２５】
８１は電源制御手段で、電池検出回路、ＤＣ−ＤＣコンバータ、通電するブロックを切り替えるスイッチ回路等により構成されており、メインＣＰＵ４５の制御に基づいて、必要な電圧を必要な期間、各部へ供給する。図２においては、メインＣＰＵ４５と制御回路８７に供給する電源ラインだけをしてあるが、もちろん、図示はしていないが各部へ電源を供給している。
【００２６】
８３はコイン電池やスパコンなどのからなるバックアップ用電源であり、電源８９からの電源供給がない時に常時電源を供給しなくてはいけない回路部へ電源を供給する。また、電源８３が２次電池である場合には、電源８９からの電源が供給されているときには、充電を行うこともある。
【００２７】
９１、９３はコネクタ、８９はアルカリ電池やリチウム電池等の一次電池やＮｉＣｄ電池やＮｉＭＨ電池、Ｌｉ電池等の２次電池、ＡＣアダプター等からなる電源手段である。
【００２８】
６５は、画像処理装置２９のレンズ３１を含む撮像部を覆うことにより、撮像部の汚れや破損を防止するバリアである保護手段である。
【００２９】
６９は光学ファインダであり、画像表示部５９による電子ファインダ機能を使用することなしに、光学ファインダのみを用いて撮影を行うことが可能である。また、光学ファインダ６９内には、表示部６７の一部の機能、例えば、合焦表示、手振れ警告表示、フラッシュ充電表示、シャッタースピード表示、絞り値表示、露出補正表示などが設置されている。
【００３０】
７３、７５、７７及び７９は、画像処理装置２９の各種の動作指示を入力するための操作手段であり、スイッチやダイアル、タッチパネル、視線検知によるポインティング、音声認識装置等の単数或いは複数の組み合わせで構成される。
【００３１】
ここで、これら各部材の操作手段の具体的な説明を行う。７３はモードダイアルスイッチで、自動撮影モード、撮影モード、パノラマ撮影モード、再生モード、マルチ画面再生・消去モード、ＰＣ接続モード等の各機能モードを切り替え設定することができる。
【００３２】
７５はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００３３】
７７はシャッタースイッチＳＷ２で、不図示のシャッターボタンの操作完了でＯＮとなり、撮像素子３５から読み出した信号をＡ／Ｄ変換器３７、メモリ制御回路４３を介してメモリ５５に画像データを書き込む露光処理、画像処理回路４７やメモリ制御回路４３での演算を用いた現像処理、メモリ５５から画像データを読み出し、圧縮・伸長回路５７で圧縮を行い、メディア７１に画像データを書き込む記録処理という一連の処理の動作開始を指示する。
【００３４】
７９は各種ボタンからなる操作部で、電源ＯＦＦボタン、メニューボタン、セットボタン、マクロボタン、メニュー移動上ボタン、メニュー移動下ボタン、メニュー移動右ボタン、メニュー移動左ボタン、露出補正ボタン等がある。
【００３５】
９５はメモリカードやハードディスク等の外部記憶媒体とのインターフェース、９７はメモリカードやハードディスク等の外部記憶媒体と接続を行うコネクタであり、外部記憶媒体９７が装着されるとＯＮになり、装着されていないときにはＯＦＦになるスイッチ回路を備えている。
【００３６】
なお、本実施例では外部記憶媒体を取り付けるインターフェース及びコネクタを１系統持つものとして説明している。もちろん、外部記憶媒体を取り付けるインターフェース及びコネクタは、単数及び複数、いずれの系統数を備える構成としても構わない。また、異なる規格のインターフェース及びコネクタを組み合わせて備える構成としても構わない。
【００３７】
インターフェース及びコネクタとしては、ＰＣＭＣＩＡカードやＣＦ（コンパクトフラッシュ(登録商標)）カード等の規格に準拠したものを用いて構成して構わない。１３は、外部記憶媒体７１を収納する収納蓋である。この収納蓋１３には、開けるとＯＮになり、閉めるとＯＦＦになるスイッチ回路を備えている。
【００３８】
８７は、コネクタ９７に装備されたスイッチ回路と収納蓋１３に装備されたスイッチ回路を制御する制御回路である。この制御回路８７はメインＣＰＵ４５と接続されＣＰＵ４５からの制御によって動作する。
【００３９】
次に、コネクタ９７に装備されたスイッチ回路、収納蓋１３に装備されたスイッチ回路と制御回路８７の構成について、図３を用いて詳細を説明する。図３において、前記制御回路８７は抵抗１００、１０２、１０４とトランジスタ１０６で構成されており、抵抗１００の端子は電源に接続され、もう一方の端子はトランジスタ１０６のエミッタとＣＰＵ４５の前記外部記憶媒体７１の着脱状態を監視するための割り込み機能がある入力ポート１１２に接続されている。
【００４０】
また、抵抗１０２の端子は電源に接続され、もう一方の端子はトランジスタ１０６のベースと抵抗１０４の端子に接続されている。抵抗１０４のもう一方の端子はＣＰＵ４５の前記制御回路８７を制御する出力ポート１１４に接続されている。出力ポート１１４からＨｉｇｈレベルを出力すると前記制御回路部８７が動作し、Ｌｏｗレベルを出力すると停止状態となる。
【００４１】
１０８は前記収納蓋１３に装備されたスイッチ回路であり、収納蓋１３が開けられた状態でＯＮし、閉められた状態でＯＦＦする。１１０は前記コネクタ９７に装備されたスイッチ回路であり、外部記憶媒体７１が装着された状態ではＯＮし、装着されていない状態でＯＦＦする。スイッチ回路１０８の端子は、トランジスタ１０６のコレクタに接続されて、もう一方の端子は、スイッチ回路１１０の端子に接続されている。また、スイッチ回路１１０のもう一方の端子は、ＧＮＤに接続されている。
【００４２】
図４を用いて、従来例と本実施例における消費電流の差を説明する。図４において、収納蓋１３が開いていて、外部記憶媒体７１が装着されているときは、従来例では、収納蓋１３に装備されたスイッチ回路に電流が流れる。一方、本実施例においては電流は流れない。また、収納蓋１３が開いていて、外部記憶媒体７１が装着されていないきは、従来例では、収納蓋１３に装備されたスイッチ回路とコネクタ９７に装備されたスイッチ回路の２箇所に電流が流れる。
【００４３】
一方、本実施例においてはスイッチ１０８からスイッチ１１０に電流が流れるので、従来例でながれる電流量の半分が流れる。また、収納蓋１３が閉じていて、外部記憶媒体７１が装着されているときは、従来例でも本実施例においても電流は流れない。また、収納蓋１３が閉じていて、外部記憶媒体７１が装着されていないきは、従来例では、コネクタ９７に装備されたスイッチ回路に電流が流れる。一方、本実施例においては、電流は流れない。
【００４４】
以上のように、ＣＰＵ４５が出力ポート１１４をＬｏｗレベルにして制御回路８７を動作させた状態では、収納蓋１３が開いた状態で、更に外部記憶媒体７１が装着されたときのみ電流がスイッチ回路１０８とスイッチ回路１１０に電流が流れるので、従来よりも明らかに外部記憶媒体を監視する回路の消費電力を削減できるという効果が得られる。
【実施例２】
【００４５】
本発明の実施例２の構成は、実施例１の構成と同じである。実施例２では、デジタルカメラがＯＮ状態からＯＦＦ状態になるときに、外部記憶媒体７１の着脱状態によって制御回路８７の動作を変化させる。次に、図５を用いて詳細を説明する。
【００４６】
図５のＳ１２０において、デジタルカメラをＯＦＦ状態にする操作がユーザーから行われた状態でありＳ１２２へ移行する。Ｓ１２２において、ＯＮ状態における外部記憶媒体７１が装着されている場合にはＳ１２４へ移行する。Ｓ１２４において、書き込み可能なＦＬＡＳＨＲＯＭ７に外部記憶媒体７１の情報（例えば、ＦＡＴの情報など）を待避させ、更に、ＣＰＵ４５に内蔵されているＲＡＭの前記情報が有効／無効を示すＦＬＡＧを有効にセットしてＳ１２６に移行する。Ｓ１２６において、制御回路８７を動作させるために出力ポート１１４をＨｉｇｈレベルにしてＳ１２８に移行する。Ｓ１２８において、入力ポート１１２の割り込み機能を有効にしてＳ１３０に移行して、デジタルカメラをＯＦＦ状態にする処理を行う。例えば、ＣＰＵ４５と制御回路８７以外の回路部に供給している電源を停止するなどである。次にＳ１３０からＳ１３２へ移行しＣＰＵ４５を低消費電力モードにしてＳ１３４へ移行する。Ｓ１３４においては、入力ポート１１２に割り込み入力があるまで、即ち外部記憶媒体７１が取り出されるまでＳ１３４の状態である。割り込みポートに入力があった場合には、外部記憶媒体７１が取り出されたので、待避しておいた情報は無効になるのでＳ１３６へ移行しＦＬＡＧを無効にセットする。
【００４７】
次に、Ｓ１２２において、外部記憶媒体７１が装着されていない場合には、Ｓ１３８へ移行し前記ＦＬＡＧを無効にセットしてＳ１４０へ移行する。Ｓ１４０において、制御回路８７を停止させるために出力ポート１１４をＬｏｗレベルにしてＳ１４２に移行し、入力ポート１１２の割り込み機能を無効にしてＳ１４４に移行する。Ｓ１４４において、デジタルカメラをＯＦＦ状態にする処理を行いＳ１４６へ移行しＣＰＵ４５を低消費電力モードにする処理を行う。
【００４８】
以上のように制御を行うことによって、ＯＦＦ状態になるときに外部記憶媒体が装着されていないときには制御回路８７を停止させるので、実施例１よりも外部記憶媒体を監視する回路の消費電力を削減できるという効果が得られる。
【実施例３】
【００４９】
本発明の実施例３は、実施例２におけるＳ１３６からの動作を追加したものである。
【００５０】
Ｓ１２０からＳ１３６までの動作は実施例２にあるものと同じなので、Ｓ１３６の動作移行を図６を用いて説明する。
【００５１】
ＯＮ状態で外部記憶媒体７１が装着状態で、ＯＦＦ状態において外部記憶媒体７１が取り出されたので外部記憶媒体情報ＦＬＡＧを無効にセットしたＳ１３６からＳ１４８へ移行して、制御回路８７を停止させるために出力ポート１１４をＬｏｗレベルを出力する。次に、Ｓ１５０へ移行し、入力ポート１１２の割り込み機能を無効にする処理を行う。
【００５２】
以上のように制御を行うことによって、ＯＦＦ状態で外部記憶媒体が取り外された後に制御回路８７を停止させるので、実施例２よりも外部記憶媒体を監視する回路の消費電力を削減できるという効果が得られる。
【図面の簡単な説明】
【００５３】
【図１】従来の技術を説明するためのブロック図である。
【図２】本発明の実施形態によるディジタルスチルカメラの主要構成を示すブロック図である。
【図３】実施例１を説明するための構成図である。
【図４】実施例１を説明するための表である。
【図５】実施例２を説明するためのフローチャートである。
【図６】実施例３を説明するためのフローチャートである。
【符号の説明】
【００５４】
１３  収納蓋
２９  画像処理装置
３１  撮影レンズ
３３  シャッター
３５  撮像素子
３７  Ａ／Ｄ変換器
３９  タイミング発生回路
４１  Ｄ／Ａ変換器
４３  メモリ制御回路
４５、１００  メインＣＰＵ
４７  画像処理回路
４９  露光制御手段
５１  測距制御手段
５３  画像表示メモリ
５５  メモリ
５７  圧縮・伸長回路
５９  画像表示部
６１  ズーム制御手段
６３  バリア制御手段
６５  バリア
６７  表示装置
６９  光学ファインダ
７１  外部記憶媒体
７３  モードダイヤル
７５  ＳＷ１
７７  ＳＷ２
７９  操作部
８１  電源制御部
８３、８９  電源
８７  制御回路
９１、９３、９７  コネクタ
９５  Ｉ／Ｆ
１００、１０２、１０４  抵抗
１０６  トランジスタ
１０８  収納蓋スイッチ
１１０  外部記憶媒体検出スイッチ
１１２  入力ポート
１１４  出力ポート
【図１】
2006319716.tif 000003
【図２】
2006319716.tif 000004
【図３】
2006319716.tif 000005
【図４】
2006319716.tif 000006
【図５】
2006319716.tif 000007
【図６】
2006319716.tif 000008